(57)【要約】【課題】訂正されるべき番組を録画した人に、その番組に誤りがあることを認識させる。【解決手段】録画再生装置１００は、アンテナ部１０１、チューナ部１０２、ＴＳ処理部１０３、ＡＶ処理部１０４、表示部１０５、訂正放送管理部１０６、録画部１０７を備えている。この録画再生装置１００は、デジタルテレビ放送を受信し録画したのち、利用者の指示によって録画した放送番組を再生する機能とともに、録画した番組に関する訂正放送をみつけ、訂正放送を受信して録画し、視聴者に見せるために再生する機能を有する。【選択図】図１
2008294729.tif 000002
【特許請求の範囲】
【請求項１】
テレビ放送において、放送局より送信された放送波を受け取る受信部と、
前記受信部で受信された放送番組を記録する記録部と、
前記放送波内に含まれる訂正放送を知らせる信号と訂正放送番組とを抽出する訂正放送抽出部と、
前記訂正放送抽出部によって抽出された訂正放送番組において訂正された番組が録画済であるかを判断する放送番組検索部と、
訂正された番組が録画済であると前記放送番組検索部によって判断された場合、前記訂正放送番組データを自動的に記録する記録部とを備える、
ことを特徴とする録画再生装置。
【請求項２】
請求項１において、
前記記録部で記録した前記放送番組を再生した場合に、前記放送番組の訂正放送についてもあわせて再生する機能を有する、
ことを特徴とする訂正放送録画再生装置。
【請求項３】
請求項１において、
前記記録部で記録した前記放送番組を再生した場合に、前記放送番組の訂正放送の視聴を促す機能を有する、
ことを特徴とする訂正放送録画再生装置。
【請求項４】
請求項１において、
前記記録部で記録した前記放送番組を再生した場合に、前記放送番組に訂正箇所があることを知らせる機能を有する、
ことを特徴とする訂正放送録画再生装置。
【発明の詳細な説明】
【技術分野】
【０００１】
本発明は訂正放送録画再生装置に関し、特に、訂正されるべき放送を録画した人に対して、訂正された番組を確実見てもらうための仕組みに関する。
【背景技術】
【０００２】
日本国内でテレビ放送を行う場合のルールを定めた法律がある。これが「放送法」でありその第４条に次のように記載されている。『放送事業者が真実でない事項の放送をしたという理由によつて、その放送により権利の侵害を受けた本人又はその直接関係人から、放送のあつた日から３箇月以内に請求があつたときは、放送事業者は、遅滞なくその放送をした事項が真実でないかどうかを調査して、その真実でないことが判明したときは、判明した日から２日以内に、その放送をした放送設備と同等の放送設備により、相当の方法で、訂正又は取消しの放送をしなければならない。』これは、訂正放送と呼ばれる放送の根拠となっている。訂正放送は放送内容に誤りがあった場合にその内容を正す目的で行われており、合わせて誤りが起こった原因や責任がどこにあるかも明確にしている。
【０００３】
特許文献１には、テレビ放送を予約した場合に急な番組変更が生じた場合に自動的に変更後の番組を録画する機能について記載されている。自動的に変更後の番組を録画しなければ利用者は間違えた番組を録画してしまう危険があった。この文献のように放送側の都合で利用者が意図しない情報を得ないですむようにする仕組みが確立されている。
【特許文献１】特開平9-322129号公報
【発明の開示】
【発明が解決しようとする課題】
【０００４】
しかしながら、上述した特許文献に記載の録画再生方法では、番組内容が変更になった場合には追従し利用者が間違えた番組を見ないですますことができるが、番組内容そのものに誤りがあった場合には対応できず、誤った番組を見てしまう危険があった。
【０００５】
そこで本発明では、訂正放送を利用して誤って放送された内容についても正すことができ、利用者が誤った情報を得ないですむ仕組みを提供する。
【課題を解決するための手段】
【０００６】
テレビ放送の影響は大きく、視聴者はその内容が正しいのか間違っているかを判断する基準がない場合が多い。そのためテレビで放送されていたイコール正しい情報であると錯覚してしまい、誤った情報が広まってしまう原因となっていた。また倫理的に放送してはならない放送や個人情報を特定できる情報などが放送されてしまうことがある。多くは放送局側のチェック体制や倫理観の欠如が原因であるが、放送後になって気が付くことも多く、誤りを正すために訂正放送が行われる。訂正放送は年に十数件のペースで行われているもので、珍しいことではない。そこでこの訂正放送を利用して、録画済の番組を自動的に訂正することで、視聴者が間違った番組を視聴している時点で、そこに誤りがあることを認識させる機能を録画再生装置に提供する。
【発明の効果】
【０００７】
この機能により、間違った内容、放送してはならない内容の放送を自動的に知らせることができ、誤りを利用者に警告することができる。
【発明を実施するための最良の形態】
【０００８】
以下に、本発明を実施するための最良の形態について、図を参照して説明する。まず本実施の形態を図１に示す。図１は、デジタルテレビ放送を受信し録画したのち、利用者の指示によって録画した放送番組を再生する機能とともに、録画した番組に関する訂正放送をみつけ、訂正放送を受信して録画し、視聴者に見せるために再生する機能を有する録画再生装置１００である。
【０００９】
録画再生装置１００は、アンテナ部１０１、チューナ部１０２、ＴＳ処理部１０３、ＡＶ処理部１０４、表示部１０５、訂正放送管理部１０６、録画部１０７を備えている。
【００１０】
アンテナ部１０１は、地上デジタル放送などの放送波を受信する機能を有している。チューナ部１０２は、アンテナ部１０１より受け取った電波よりデジタル放送のデータであるＴＳを作成する。
【００１１】
ＡＶ処理部１０４は、ＴＳデータ内にある圧縮された音声データと圧縮された映像データを抽出しデコードすることによってテレビ放送の絵音を作成する。表示部１０５は映像と音声を人間に見える形で表現する機能である。主に映像としては液晶ディスプレイやプロズマディスプレイ、音声としてはスピーカである。訂正放送管理部１０６では訂正放送を予告する放送、もしくは訂正放送自身を検知し、その訂正放送で訂正されるべき、誤った内容の放送が録画済かを検知するとともに、訂正放送を録画する機能を有している。
【００１２】
録画部１０７は、放送番組を録画する機能を有している。ＨＤＤなどの記録媒体を持つと共に録画した番組の管理や録画予約を行える。また、録画済の番組データを再生するために出力する機能も有している。
【００１３】
まず、録画について説明する。どの放送を録画するかは利用者によって予約録画という形で指示される。または、録画再生装置１００もしくはそれに繋がる機器から視聴者の好みなどに応じて自動的に予約録画される場合もある。これらの予約録画は、録画したい番組の録画開始時間情報と、録画を終了する録画終了時間情報と、録画するチャンネル（放送局に割り当てられた番号）が入っているチャンネル情報が含まれている。予約録画機能は、録画再生装置１００内にある時計を監視し、録画したい番組が登録されている時間にならないかを常に確認している。録画開始時間情報に記載の時間に内部時計がなると録画を開始し、今度は登録されている録画終了時間情報に記載の時間にならないかを常に確認している。そして録画終了時間情報に記載の時間になると録画を終了する。
【００１４】
利用者が現在見ている番組を、今すぐに録画する場合もある。このときは、リモコンや録画再生装置１００本体についている録画ボタンを押すことで録画が開始される。このときに録画するチャンネルはそのときに選局しているチャンネルになる。録画の終了は、リモコンや録画再生装置１００本体につけらけた停止ボタンが押されたタイミングで録画再生装置１００は録画を終了する。この録画が開始された時間を録画開始時間情報とし、選局していたチャンネルが録画チャンネル情報、停止ボタンが押された時間が録画終了時間情報となる。
【００１５】
また、全ての番組を自動で録画する機器も存在している。これは複数のテレビ放送を受信できる機能と大量に放送番組を蓄積できる機能を有しているもので、全ての番組を録画しつつ、番組と番組の切れ目がわかるように、チャプターを入力している。このチャプターを目印にして、チャプターの始めを録画開始時間とし、チャプターの終わりを録画終了時間とする。録画チャンネル情報は、その放送波を録画したチャンネルと同一である。
【００１６】
このように録画を開始、終了する手法が複数あるが、本実施の形態では上記のような手法で録画指示が行われた後からの機器の動作について記載する。
【００１７】
なんらかの方法で録画が開始されると、アンテナ部１０１において放送波の受信が開始される。チューナ部１０２はその放送波を受信し、放送波の中に含まれているＴＳと呼ばれる放送データを抽出する。このＴＳ内には音声や画像やデータ放送のようにテレビ放送番組に直接関係するデータの他に、制御信号や時間情報、番組情報など直接関係がないデータも含まれている。ＴＳ処理部１０３ではチューナ部１０２より受け取ったＴＳを解析して分類することができる。ＴＳデータは録画部１０７に遅れらて、ＨＤＤなどの記録媒体に録画が行われる。この時に現在録画中の録画開始時間情報、録画チャンネル情報は、録画部１０７で放送番組のＴＳとともに記録される。
【００１８】
なんらかの方法で録画終了されると、録画部１０７においてＴＳの記録が停止する。停止と共に、録画終了時間がＴＳデータと共に記録される。録画終了により放送波を受信しＴＳを必要としなくなったため、ＴＳ処理部１０３は録画部１０７へのＴＳ供給を停止する。
【００１９】
次に録画されたテレビ放送の視聴方法を図１で示す。利用者の選択により録画部１０７に記録されている放送番組のどれを再生するかが決定される。決定されると録画部１０７から指定された番組のＴＳが出力されＡＶ処理部１０４に送られる。ＡＶ処理部１０４はＴＳ内に含まれている音声と画像のデータを抽出することができ、圧縮されたこれらのデータは表示部１０５に送られる。デコードデータはユーザに見える・聞こえるように再生されることでビデオ再生が可能になる。
【００２０】
またこの録画再生装置１００は録画を行わなくても現在放送されている番組をリアルタイムで再生することも可能である。その場合には、チューナ部１０２より出力されたＴＳをＴＳ処理部１０３からＡＶ処理部１０４へ直接送る。ＡＶ処理部１０４では録画した番組を再生したときと同じく、音声・画像データをデコードし表示部１０５において利用者が見える形で再生される。
【００２１】
続いて、訂正放送の受信について記載する。訂正放送は番組録画時に使用したＴＳ内に番組として記録されて放送局から電波で送られてくる。まず訂正放送を行う場合には、放送局側はこのＴＳ内にこれから訂正放送が行われるという訂正放送予告信号を送信する。この訂正放送予告信号内には、訂正放送が行われる時間情報、訂正放送が終了する時間情報、訂正放送で訂正されるべき番組の放送された時間情報が含まれている。
【００２２】
訂正放送録画再生装置１００は、アンテナ部１０１で放送波を受信し、チューナ部１０２でＴＳを作成し、ＴＳ処理部１０３において訂正放送予告信号が含まれたＴＳを見つける。見つかった場合には、この訂正放送予告信号がＴＳ処理部１０３から訂正放送管理部１０６へ送られる。あわせてその訂正放送予告信号が受信された放送チャンネルについても訂正放送管理部１０６へ送られる。訂正放送管理部１０６では、訂正すべき番組が録画部１０７において録画されているかを確認する。録画されているかの判断材料となるのが、保存されているＴＳと同時に記録されている、録画開始時間情報と録画終了時間情報と録画チャンネル情報である。これらの情報と訂正放送予告信号に含まれている訂正されるべき番組の放送された時間情報とチャンネル情報とを比較して録画済かを判断できる。録画済である場合には、録画部１０７において、自動的に訂正放送の予約録画設定を行う。このときに録画部１０７で訂正放送の放送時間を決めるのに使用される情報が訂正放送予告信号に含まれていた、訂正放送が行われる時間情報、訂正放送が終了する時間情報である。これをそれぞれ録画開始時間情報と録画終了時間情報とする。また訂正放送予告信号を受け取ったチャンネルを録画チャンネル情報として予約録画を行う。
【００２３】
一度予約録画を行った訂正放送の訂正放送予告信号を再度受け取った場合にはこの信号は無視するようにする必要がある。
【００２４】
訂正放送の予約録画方法については前述の予約録画時の録画再生装置１００の動作と同じである。ただし、録画部１０７において記録媒体に記録されるときに、訂正放送番組と訂正されるべき録画番組はセットで記録される。セットとは１つのファイルにしてしまうなど切り離して扱えないようにするのが理想である。
【００２５】
訂正放送の録画が終了した後に、訂正されるべき録画番組を再生する場合について記載する。基本的な再生手順については前述の録画番組の再生放送と共通である。しかしこの時にセットにされた訂正放送も再生を行う。
【００２６】
１つ目の再生方法として、利用者によって訂正されるべき録画番組の再生が録画再生装置１００に対して指示されたときに、訂正されるべき録画番組の再生前に訂正放送を自動的に再生するようにする。これにより訂正されるべき録画番組の中にどのような誤りがあったかということを事前に利用者に知らせることができ、事前に誤りを訂正することができる。
【００２７】
２つ目の再生方法として、利用者によって訂正されるべき録画番組の再生が録画再生装置１００に対して指示されたときに、訂正されるべき録画番組の再生後に訂正放送についても自動的に再生するようにする。この方法によって訂正放送を再生することができるため、利用者に訂正されるべき録画番組の内容の誤り箇所をしらせることができる。
【００２８】
３つ目の再生方法として、利用者によって訂正されるべき録画番組の再生が録画再生装置１００に対して指示されたときに、訂正されるべき放送番組の再生前に、これから再生する番組には誤りがあり訂正放送が行われていることを警告するというものである。訂正放送を見るか見ないかは利用者の判断に任せられるが、どこかに誤りがあるため、番組内容を信用してはいけないというとこを警告することができる。
【００２９】
４つ目の再生方法として、利用者によって訂正されるべき録画番組の再生が録画再生装置１００に対して指示されたとき、訂正されるべき録画番組の再生中、再生中の番組に誤りがあることを警告する表示を行う方法である。これにより、より強く番組内容を信用してはいけないことを警告することができる。また３つ目と４つ目の警告表示時に、どのような間違いがあるかを文章で警告することも可能である。このときは訂正放送予告信号内に、間違いの内容を文字列で記録して放送局より送出し、それを訂正放送管理部１０６で受け取り、録画部１０７に事前に保存しておく必要がある。
【産業上の利用可能性】
【００３０】
本発明にかかわる訂正放送録画再生装置では、訂正放送が行われたときに、その訂正されるべき放送番組を録画していないかを確認し、録画を行っていた場合には、訂正放送も自動的に録画することで、誤りの含まれた番組を見る視聴者に誤りであることを容易に認識させるのに有用である。
【図面の簡単な説明】
【００３１】
【図１】録画再生装置１００の構成を示すブロック図である。
【符号の説明】
【００３２】
１００：録画再生装置
１０１：アンテナ部
１０２：チューナ部
１０３：ＴＳ処理部
１０４：ＡＶ処理部
１０５：表示部
１０６：訂正放送管理部
１０７：録画部
１０８：入力部
【図１】
2008294729.tif 000003